(57)【要約】【課題】電子機器から延出される配線を、使用者の邪魔になることなく、装置内に体裁よく配線することができる電子機器支持装置を提供すること。【解決手段】ブラケット１４には、上下端が開口するとともに、上端開口を介して支持管１５の内部に連通する貫通孔１４ｇが上下方向に延設され、貫通孔１４ｇ内には、支持管１５とブラケット１４とを連結するための連結ボルト１７が取り付けられるボルト取付部材２０が、貫通孔１４ｇの下端開口から取り外し自在に配設されており、ボルト取付部材２０には、ボルト取付部材２０の端縁から内方に向けて切り欠き溝２０ａが形成され、切り欠き溝２０ａ内に、連結ボルト１７及び配線２２を挿通する。【選択図】図２
2009118609.tif 000002
【特許請求の範囲】
【請求項１】
被取付部に取り付けられるブラケットと、該ブラケットから上方に延びるとともに、電子機器を支持する支持部が設けられた中空状の支持管と、からなり、前記電子機器から延出される配線を前記支持管内に挿通可能な電子機器支持装置であって、
前記ブラケットには、上下端が開口するとともに、上端開口を介して前記支持管の内部に連通する貫通孔が上下方向に延設され、該貫通孔内には、前記支持管と前記ブラケットとを連結するための連結ボルトが取り付けられるボルト取付部材が、前記貫通孔の下端開口から取り外し自在に配設されており、前記ボルト取付部材には、該ボルト取付部材の端縁から内方に向けて切り欠き溝が形成され、該切り欠き溝内に、前記連結ボルト及び前記配線を挿通できるようになっていることを特徴とする電子機器支持装置。
【請求項２】
前記貫通孔の内周面下部には、前記ボルト取付部材を係止可能な段部が形成されていることを特徴とする請求項１に記載の電子機器支持装置。
【請求項３】
前記支持管の上部に、前記連結ボルトが螺入されるネジ孔が形成されているとともに、前記支持管の周壁における前記支持部近傍に、配線を挿通可能な配線挿通口が形成されていることを特徴とする請求項１または２に記載の電子機器支持装置。
【請求項４】
前記ブラケットと前記支持管との接続部に、前記支持管の軸心周りの回動を規制する回動規制手段が設けられていることを特徴とする請求項１ないし３のいずれかに記載の電子機器支持装置。
【請求項５】
前記ブラケットは、側面視枠状に形成され、該ブラケットの下辺部は、該ブラケットの先端部から前記被取付部に向けて下方に傾斜していることを特徴とする請求項１ないし４のいずれかに記載の電子機器支持装置。
【請求項６】
前記ブラケットの下辺部には、前記貫通孔の下端開口から引き出した配線を収容可能な配線溝が長手方向に延設されていることを特徴とする請求項５に記載の電子機器支持装置。
【発明の詳細な説明】
【技術分野】
【０００１】
本発明は、例えばノート型パソコンや表示装置等の電子機器を支持する電子機器支持装置に係り、特に電子機器から延出される配線を挿通可能な電子機器支持装置に関する。
【背景技術】
【０００２】
従来、この種の電子機器支持装置としては、例えば複数の支柱と、隣接する支柱を連結する横架材とからなる配線装置において、横架材の下端部から吊下されたパネルに、脚フレームを有する天板を片持ち支持してなる机等があり、該机の天板上に載置されたパーソナルコンピュータ等の電子機器（ＯＡ機器）の配線コード（電力線）を、支柱に設けたコンセント等に接続できるようにしたものがある（例えば、特許文献１参照）。
【０００３】
【特許文献１】特開２０００−１７５３３８号公報（第４頁、第３図）
【発明の開示】
【発明が解決しようとする課題】
【０００４】
しかしながら、上記特許文献１に記載の電子機器支持装置（机）にあっては、電子機器から延出された配線を、机を支持する配線装置を構成する支柱に設けられたコンセントに接続するようになっていることで、電子機器からコンセントまでの配線が天板上に露呈されるため、使用者の邪魔になるばかりか、外観体裁が損なわれるという問題があった。
【０００５】
本発明は、このような問題点に着目してなされたもので、電子機器から延出される配線を、使用者の邪魔になることなく、装置内に体裁よく配線することができる電子機器支持装置を提供することを目的とする。
【課題を解決するための手段】
【０００６】
前記課題を解決するために、本発明の請求項１に記載の電子機器支持台は、
被取付部に取り付けられるブラケットと、該ブラケットから上方に延びるとともに、電子機器を支持する支持部が設けられた中空状の支持管と、からなり、前記電子機器から延出される配線を前記支持管内に挿通可能な電子機器支持装置であって、
前記ブラケットには、上下端が開口するとともに、上端開口を介して前記支持管の内部に連通する貫通孔が上下方向に延設され、該貫通孔内には、前記支持管と前記ブラケットとを連結するための連結ボルトが取り付けられるボルト取付部材が、前記貫通孔の下端開口から取り外し自在に配設されており、前記ボルト取付部材には、該ボルト取付部材の端縁から内方に向けて切り欠き溝が形成され、該切り欠き溝内に、前記連結ボルト及び前記配線を挿通できるようになっていることを特徴としている。
この特徴によれば、ボルト取付部材を貫通孔の内部から取り外しできることで、配線の端部に切り欠き溝よりも大きなプラグやコネクタ等が設けられていても、支持管内部に挿通した配線を貫通孔の下端部から引き出すことができる。また、ボルト取付部材を貫通孔の下端開口から貫通孔の内部に配設する際に、切り欠き溝に配線を挿通することで、配設の際に配線が邪魔になることがないとともに、この切り欠き溝に連結ボルトを下方から取り付けて支持管に螺入することで支持管とブラケットとを連結することができる。
つまり、支持管及び貫通孔内部に配線を上下方向に挿通した後に支持管とブラケットとを連結できる構造であるため、配線を上下方向に体裁よく隠蔽することができる。
【０００７】
本発明の請求項２に記載の電子機器支持台は、請求項１に記載の電子機器支持台であって、
前記貫通孔の内周面下部には、前記ボルト取付部材を係止可能な段部が形成されていることを特徴としている。
この特徴によれば、ボルト取付部材が貫通孔の内周面下部に形成された段部に係止されることで、ボルトの頭部が貫通孔内に体裁よく隠蔽される。
【０００８】
本発明の請求項３に記載の電子機器支持台は、請求項１または２に記載の電子機器支持台であって、
前記支持管の上部に、前記連結ボルトが螺入されるネジ孔が形成されているとともに、前記支持管の周壁における前記支持部近傍に、配線を挿通可能な配線挿通口が形成されていることを特徴としている。
この特徴によれば、連結ボルトが下方のブラケットから支持管の上部まで挿通されることで、ブラケットに対する支持管の支持強度が向上するため、電子機器を安定して支持できるとともに、電子機器の配線を、該電子機器を支持する支持部近傍の配線挿通口から支持管内部に挿通できるため、配線をより体裁よく隠蔽できる。
【０００９】
本発明の請求項４に記載の電子機器支持台は、請求項１ないし３のいずれかに記載の電子機器支持台であって、
前記ブラケットと前記支持管との接続部に、前記支持管の軸心周りの回動を規制する回動規制手段が設けられていることを特徴としている。
この特徴によれば、連結ボルトを支持管に螺入する際に該支持管がブラケットに対して軸心周りに回動することが防止される。
【００１０】
本発明の請求項５に記載の電子機器支持台は、請求項１ないし４のいずれかに記載の電子機器支持台であって、
前記ブラケットは、側面視枠状に形成され、該ブラケットの下辺部は、該ブラケットの先端部から前記被取付部に向けて下方に傾斜していることを特徴としている。
この特徴によれば、貫通孔の下端開口から引き出した配線を大きく屈曲させることなく、傾斜する下辺部に沿って体裁よく配線できる。
【００１１】
本発明の請求項６に記載の電子機器支持台は、請求項５に記載の電子機器支持台であって、
前記ブラケットの下辺部には、前記貫通孔の下端開口から引き出した配線を収容可能な配線溝が長手方向に延設されていることを特徴としている。
この特徴によれば、配線を配線溝に沿って配線できるばかりか、配線の側方が隠蔽されるので、配線コードをブラケットの被取付部まで体裁よく配線できる。
【発明を実施するための最良の形態】
【００１２】
本発明に係る電子機器支持装置を実施するための最良の形態を実施例に基づいて以下に説明する。
【実施例１】
【００１３】
本発明の実施例を図面に基づいて説明すると、先ず図１は、本発明の適用された共有空間構造体の全体像を示す斜視図であり、図２は、図１の共有空間構造体に設けられたパソコン支持台を示す側面図であり、図３は、（ａ）はボルト取付部材を示す平面図であり、（ｂ）は図２のＡ−Ａ断面図であり、図４は、図３のＢ−Ｂ断面図である。以下、図２、図３、図４の紙面右側をパソコン支持台の正面側として説明する。
【００１４】
図１の符号１は、本発明の適用された共有空間構造体であり、この共有空間構造体１はオフィス等の屋内空間で使用され、コミュニケーションスペース（共有空間）を他のオフィス等の空間と区別するものであり、オフィス等の床面の所定位置に立設されている。また、この共有空間構造体１は、天井近傍までの高さを有する円柱状の４本のポール２と、隣り合う２本のポール２間の上部に水平に渡される４本の上部フレーム３から構築されている。
【００１５】
この共有空間構造体１には、隣り合う２本のポール２，２と、この２本のポール２，２の上端部間に架設された上部フレーム３と、によって形成された開放領域４が複数（４面）設けられている。また、これら複数のうち２つの開放領域４には、２本のポール２，２間の上下方向の中央位置よりも若干下方位置に、上部フレーム３と平行をなす被取付部としての中間部フレーム５が架設されている。
【００１６】
１つの開放領域４における上部フレーム３からは、上部を吊持され、床面に脚で立設したパネル装置７等が備えられている。また、中間部フレーム５が架設された２つの開放領域４，４における上部フレーム３と中間部フレーム５との間には、掲示物を貼り付けたり、マジックペンにより連絡事項等を記入可能なホワイトボード部８を構成するパネル体８ａが複数枚設けられているとともに、中間部フレーム５と床面との間にはブラインド部９が設けられ、これらホワイトボード部８及びブラインド部９により開放領域４，４が閉塞されている。
【００１７】
この中間部フレーム５の正面及び背面には、図２に示すように、上下一対の溝条５ａ，５ａが左右方向に渡って設けられており、これら溝条５ａ，５ａは、それぞれの上下から突設された突部５ｂにより縦断面Ｃ字形に形成され、上下の突部５ｂ，５ｂ間に帯状の開口部５ｃが形成されている。尚、正面側の溝条５ａ内には、上下長さが溝条５ａの上下長さと略同一である取付材１８が左右に摺動自在に設けられており、この取付材１８には、後述するブラケット１４から、同じく後述する取付ボルト１９によって螺着可能な図示しない螺着孔が設けられている。
【００１８】
尚、中間部フレーム５とブラインド部９との間には、配線収納部１０が長手方向に向けて延設されており、図示しないコンセント等の外部電源から延設された電源ケーブル及びその先端の電源タップ１１（図２参照）や信号ケーブル等の配線が収納されている。
【００１９】
また、上部フレーム３の共有空間構造体１内面側には、電子機器としてのノートパソコンＰを載置する電子機器支持装置としてのパソコン支持台１２が設けられている。以下、このパソコン支持台１２について説明する。
【００２０】
図２に示すように、パソコン支持台１２は、中間部フレーム５に後端部が取り付けられるブラケット１４と、ブラケット１４の前部上端に取り付けられる円筒状の支持管１５と、支持管１５の上端部に設けられ、その上面にノートパソコンＰが載置される支持部としての天板１６と、ブラケット１４と支持管１５とを一体に接続する連結ボルト１７と、から構成されている。
【００２１】
図３及び図４に示すように、ブラケット１４は、後端部に配置された上下方向を向く後片１４ａと、この後片１４ａの上下端部から正面側に向けて延設される上片１４ｂ及び下辺部としての下片１４ｃと、上片１４ｂと下片１４ｃとを連結する上下方向を向く前片１４ｄと、から枠状に形成されている。また、後片１４ａ及び前片１４ｄは互いに平行に配置され、且つ、前片１４ｄが後片１４ａに対して短寸に形成されている。上片１４ｂは、後片１４ａと前片１４ｄとの間で前後方向に水平に配置されており、下片１４ｃは、前片１４ｄから後片１４ａに向けて下方に傾斜するように配置されている。つまり、ブラケット１４は、これら後片１４ａ、上片１４ｂ、下片１４ｃ及び前片１４ｄにより、側面視台形状の枠体に形成されている。
【００２２】
図３及び図４に示すように、ブラケット１４の後片１４ａの後面上下位置には、中間部フレーム５の上下一対の溝条５ａ，５ａの開口部５ｃと略同一の上下長さに形成された左右一対のガイド部１４ｆ，１４ｆが背面側に向けて突設されている。また、後片１４ａにおけるこれら左右一対のガイド部１４ｆ，１４ｆ間には、図２に示すように、ブラケット１４を中間部フレーム５に取り付けるための取付ボルト１９を正面側から挿通させる取付孔１４ｅが前後方向に向けて貫通して設けられている。
【００２３】
そして、ブラケット１４を中間部フレーム５に取り付ける際には、後片１４ａの後面上下位置にそれぞれ設けられた左右一対のガイド部１４ｆ，１４ｆを開口部５ｃに挿通し、中間部フレーム５に対するブラケット１４の上下方向の取付位置を決定した状態で取付ボルト１９を取付材１８に螺入することで、中間部フレーム５にブラケット１４を取り付けできるようになっている。
【００２４】
図３及び図４に示すように、前片１４ｄは、横断面視円形の円筒形状に形成されており、その内部には、上下方向に貫通する横断面視円形の貫通孔１４ｇが設けられている。この貫通孔１４ｇは、同一軸心をなす上部の小径部１４ｈと、該小径部１４ｈの下部に連設され、小径部１４ｈよりも内径が大寸の大径部１４ｉと、により構成されており、これら小径部１４ｈと大径部１４ｉとの境界である貫通孔１４ｇ内周面下部には、小径部１４ｈと大径部１４ｉとの内径の差により環状の段部１４ｊが形成されている。
【００２５】
尚、段部１４ｊは、貫通孔１４ｇの下端開口よりも上方位置に形成されているため、後述するように、連結ボルト１７の頭部１７ａを貫通孔１４ｇ内に収容できるようになっている。また、本実施例では、段部１４ｊが、貫通孔１４ｇの内周面の一部に環状に形成されているが、例えば貫通孔１４ｇの内周面における下部位置に、複数の突片等を内向きに突設し、これら突片にボルト取付部材２０を係止できるようにしてもよい。
【００２６】
この段部１４ｊには、大径部１４ｉと略同径を成す円盤状のボルト取付部材２０が、大径部１４ｉの下端開口から取り外し自在に配設されて、小径部１４ｈを下方から被覆するようになっている。円盤状のボルト取付部材２０は、その周縁（端縁）から中心に向けて切り欠き溝２０ａが形成されている。
【００２７】
切り欠き溝２０ａは、その幅寸法が、連結ボルト１７の棒状部１７ｂの外径よりも若干大寸で、かつ、連結ボルト１７の頭部１７ａの外径よりも小寸に形成され、棒状部１７ｂを挿通可能に形成されているとともに、その終端部は、ボルト取付部材２０の中心点を中心とする半円形に形成されているため、連結ボルト１７をボルト取付部材２０の中心に配置できるとともに、その側方に、電源コード２２等の配線を挿通可能な大きさに形成されている。
【００２８】
また、図４に示すように、前片１４ｄの上端部、つまり貫通孔１４ｇの上端開口の周縁部には、支持管１５が接続する接続部としての接続部１４ｋが設けられている。この接続部１４ｋは、外径が支持管１５の内径とほぼ同径をなす環状突部であり、その側周面における背面側には、後述する支持管１５の凹部１５ａに嵌合する突起１４ｐが背面側に向けて突設されている。
【００２９】
下片１４ｃの下面左右側には、大径部１４ｉの下端背面側から後片１４ａにかけて延設された左右一対の遮蔽片１４ｍ，１４ｍが下向きに突設されており、これら遮蔽片１４ｍ，１４ｍ間に、下向きに開放する凹条の配線溝１４ｎが前後方向に延設されている。この遮蔽片１４ｍ，１４ｍ及び配線溝１４ｎは、下片１４ｃに沿うように、前片１４ｄから中間部フレーム５に向けて下方に傾斜するように形成されている。
【００３０】
次に、支持管１５について説明する。図２及び図３に示すように、支持管１５は内部が円形の中空である円筒形状に形成されており、ブラケット１４と支持管１５の連結時には、支持管１５内部と貫通孔１４ｇ内部とが連通するようになっている。また支持管１５の上端部は、背面側から前面側に向けて傾斜するように切削されており、該切削面（上端開口）上に天板取付板１６ａが溶着されており、該天板取付板１６ａ上に、天板１６がボルト２１によって取り付けられている。このように正面側に対して下方に傾斜するように支持管１５上端に取り付けられた天板１６上面にノートパソコンＰが載置できるため、使用者がノートパソコンＰのディスプレイを見易くなっている。尚、天板１６の傾斜下端部には、ノートパソコンＰが天板１６上面から滑り落ちないようにするストッパー１６ａが取り付けられている。
【００３１】
また、ノートパソコンＰの後端部からは、配線収納部１０内の電源タップ１１から電力を得るための電源コード２２が延出されており、支持管１５上端部の外周面（壁部）背面側には、この電源コード２２を支持管１５内部に挿通させるための配線挿通口１５ｂが形成されている。また、支持管１５内部の上端部には、ブラケット１４の下方から挿通された連結ボルト１７が螺着されるネジ孔１５ｃを有する固定板が固着されている。つまり、連結ボルト１７は、このネジ孔１５ｃに螺着するために、大径部１４ｉの段部１４ｊからネジ孔１５ｃまでの長さを有するロングボルトである。
【００３２】
尚、支持管１５の下端部は、ブラケット１４上端部の接続部１４ｋに嵌合して接続可能となっているとともに、支持管１５の下端部背面側には、上述した突起１４ｐと嵌合可能な凹部１５ａが設けられている。
【００３３】
次に、上述のように構成されたパソコン支持台１２の組み立てについて説明すると、先ず、支持管１５の配線挿通口１５ｂからノートパソコンＰの電源コード２２のみを支持管１５内部に挿通させ、電源コード２２の先端を支持管１５下端部から引き出す。更に、電源コード２２の先端を、ブラケット１４の貫通孔１４ｇの上端開口から小径部１４ｈ内に挿通し、大径部１４ｉの下端開口から引き出す。このとき、電源コード２２におけるノートパソコンＰ側のコネクタ部（図視略）等は、配線挿通口１５ｂから支持管１５外面側に垂らす等しておくのが好ましい。
【００３４】
そして、支持管１５の下端部をブラケット１４の接続部１４ｋに嵌合して接続する。このとき、支持管１５の下端部の凹部１５ａに接続部１４ｋの突起１４ｐが嵌合させることで、支持管１５のブラケット１４に対する向きが位置決めされるとともに、支持管１５の軸心周りの回動が規制される。つまり、これら支持管１５の凹部１５ａ及び接続部１４ｋの突起１４ｐは、本発明の回動規制手段を構成している。
【００３５】
支持管１５下端部と接続部１４ｋとを接続した後、ボルト取付部材２０の切り欠き溝２０ａ内に電源コード２２を挿通し、かつ、切り欠き溝２０ａの開放端が背面側に向くように、大径部１４ｉの下端開口から内部に挿入し、段部１４ｊに上面を当接させる。
【００３６】
次に、貫通孔１４ｇの下端開口から、連結ボルト１７の棒状部１７ｂ先端の雄ネジ部を挿通し、ボルト取付部材２０の切り欠き溝２０ａ内を通過させて、支持管１５内部まで挿通し、棒状部１７ｂ先端の雄ネジ部をネジ孔１５ｃに螺入する。尚、連結ボルト１７の棒状部１７ｂは、切り欠き溝２０ａ内の終端部付近、つまりボルト取付部材２０の中心を通過させ、その側方に電源コード２２が配置されるようにすることが好ましい。
【００３７】
そして、連結ボルト１７の雄ネジ部がネジ孔１５ｃに螺着されることによって、ボルト取付部材２０は、段部１４ｊに係止された状態で上向きに付勢され、ネジ孔１５ｃには、連結ボルト１７が螺着することにより下向きに付勢されるため、支持管１５とブラケット１４とが強固に一体に連結される。尚、これまでの一連のパソコン支持台１２の組み立ては、支持管１５及びブラケット１４を横にした状態で行うと容易に組み立てることができる。
【００３８】
次に、図２に示すように、組み立てられたパソコン支持台１２を中間部フレーム５に取り付けるには、先ず、中間部フレーム５の開口部５ｃに、ブラケット１４のガイド部１４ｆ，１４ｆを挿通させる。これらガイド部１４ｆ，１４ｆを上下の溝条５ａに挿通させることで、パソコン支持台１２の高さ位置が位置決めされ、使用者はパソコン支持台１２を左右方向にスライドさせながらパソコン支持台１２の左右位置を微調整することができる。
【００３９】
パソコン支持台１２を取り付け位置が決定した後、溝条５ａ内の取付材１８をパソコン支持台１２の取付位置まで摺動させ、ブラケット１４の後片１４ａの正面側から取付孔１４ｅに挿通した取付ボルト１９を、取付材１８の螺着孔に螺着させる。これにより、後片１４ａの背面と取付材１８正面との間に突部５ｂが挟持されて締め付けられるため、パソコン支持台１２の左右位置が固定される。
【００４０】
パソコン支持台１２の中間部フレーム５への取り付けが完了したら、ブラケット１４の大径部１４ｉから垂れ下がっている電源コード２２の先端を、配線収納部１０内に設置された電源タップ１１に接続する。このとき、配線を傾斜状の下片１４ｃの配線溝１４ｎに沿って収納されるように配線することで、電源コード２２がパソコン支持台１２の側面視から隠蔽される。
【００４１】
そして、天板１６の上面にノートパソコンＰを載置し、配線挿通口１５ｂから支持管１５の外面側に垂れ下がっている電源コード２２の他端をノートパソコンＰに接続することで、パソコン支持台１２を使用可能な状態となる。
【００４２】
以上説明したように、本発明の実施例としてのパソコン支持台１２にあっては、ボルト取付部材２０を貫通孔１４ｇの内部から取り外しできることで、電源コード２２の端部に切り欠き溝２０ａよりも大きなプラグやコネクタ等が設けられていても、支持管１５内部に挿通した電源コード２２を貫通孔１４ａの下端部から引き出すことができる。また、ボルト取付部材２０を貫通孔１４ｇの大径部１４ｉから貫通孔１４ｇの内部に配設する際に、切り欠き溝２０ａに電源コード２２を挿通することで電源コード２２が邪魔になることがないとともに、この切り欠き溝２０ａに連結ボルト１７を下方から取り付けて支持管１５に螺入することで支持管１５とブラケット１４とを連結することができる。
【００４３】
つまり、支持管１５及び貫通孔１４ｇ内部に電源コード２２を上下方向に挿通した後に支持管１５とブラケット１４とを連結できる構造であるため、電源コード２２を、上下方向に連通する支持管１５及びブラケット１４の貫通孔１４ｇ内部に上下方向に体裁よく隠蔽することができる。
【００４４】
また、支持管１５は、ブラケット１４の先端に形成された上下方向を向く貫通孔１４ｇの上部に接続されることで、支持部としての天板１６からブラケット１４の下部にかけて、配線用の筒状空間が上下方向に延設されることになるため、天板１６上に載置されるノートパソコンＰから延出される電源コード２２を、被取付部である中間部フレーム５の下方に設けられた配線収納部１０まで、支持管１５及びブラケット１４に沿って体裁よく配線することができる。
【００４５】
さらに、支持管１５及び貫通孔１４ｇはブラケット１４の先端に設けられていることで、被取付部である中間部フレーム５の正面から前方に離間した前方位置にて電子機器を支持できるため、使用者が電子機器を使用しやすいとともに、ブラケット１４の先端に配設される支持管１５から貫通孔１４ｇの下端開口に引き出された電源コード２２を、ブラケット１４の下片１４ｃに沿って配線することができるため、貫通孔１４ｇの下端開口から中間部フレーム５の正面まで体裁よく配線できる。
【００４６】
また、ボルト取付部材２０は、貫通孔１４ｇの下部に設けられた段部１４ｊに係止されるとともに、ネジ孔１５ｃが支持管１５の上部に設けられることで、長い連結ボルト１７により支持管１５とブラケット１４とを連結できるため、ブラケット１４に対して支持管１５を安定して支持できる。さらに、支持管１５及び貫通孔１４ｇの内部に挿通された連結ボルト１７により、同じく内部に挿通される電源コード２２のあばれが防止される。
【００４７】
また、ボルト取付部材２０が貫通孔１４ｇの内周面下部である小径部１４ｈと大径部１４ｉの境界に形成された段部１４ｊに係止されることで、連結ボルト１７の頭部が貫通孔内１４ｇに体裁よく隠蔽される。
【００４８】
また、連結ボルト１７が、下方のブラケット１４に形成された上下方向を向く貫通孔１４ｇ下部から支持管１５の上部まで挿通されることで、ブラケット１４に対する支持管１５の支持強度が向上するため、ノートパソコンＰを安定して支持できるとともに、ノートパソコンＰの電源コード２２を、ノートパソコンＰを支持する天板１６近傍の配線挿通口１５ｂから支持管１５内部に挿通できるため、電源コード２２をより体裁よく隠蔽できる。
【００４９】
また、パソコン支持台１２を組み立てる際に、ブラケット１４の接続部１４ｋに設けられた突起１４ｐが支持管１５下端部に設けられた凹部１５ａに嵌合することで、連結ボルト１７をネジ孔１５ｃに螺入する際に、支持管１５がブラケット１４に対して軸心周りに回動することが防止されるとともに、接続時におけるブラケット１４に対する支持管１４の位置決めが容易になる。
【００５０】
また、側面視台形状の枠体に形成されたブラケットの下片１４ｃを、前片１４ｄから中間部フレーム５に向けて下方に傾斜するように形成するので、貫通孔１４ｇの大径部１４ｉから引き出した電源コード２２を大きく屈曲させることなく、傾斜する下片１４ｃに沿って体裁よく配線できるため、断線等が防止される。
【００５１】
また、ブラケット１４の下片１４ｃに、貫通孔１４ｇの大径部１４ｉから引き出した電源コード２２を収容可能な配線溝１４ｎがブラケット１４の前片１４ｄから中間部フレーム５に向けて延設されているので、電源コード２２を配線溝１４ｎに沿って配線できるばかりか、電源コード２２の側方が遮蔽片１４ｍ，１４ｍにより隠蔽されるので、電源コード２２を中間部フレーム５まで体裁よく配線できる。
【００５２】
以上、本発明の実施例を図面により説明してきたが、具体的な構成はこれら実施例に限られるものではなく、本発明の要旨を逸脱しない範囲における変更や追加があっても本発明に含まれる。
【００５３】
例えば、前記実施例では、電子機器支持装置を、ノートパソコンＰを天板１６に載置するパソコン支持台１２として説明したが、電子機器支持装置にて支持する電子機器は、ノートパソコンＰに限らず、表示装置や音楽プレイヤー等であってもよい。
【００５４】
また、前記実施例では、支持管１５の上端に支持部としての天板１６が設けられていたが、支持管１５に対する支持部の配設位置は上下方向の任意の位置に変更可能である。
【００５５】
また、前記実施例では、配線挿通口１５ｂを、支持管１５の外周面における支持部である天板１６の近傍に設けていたが、必ずしも支持管１５の外周面に配線挿通口を形成する必要はなく、例えば天板１６及び天板取付板１６ａにおける支持管１５の直上に貫通口を形成し、該貫通口から挿通した配線を支持管１５の上端開口から内部に配線するようにしてもよい。
【００５６】
また、前記実施例では、ボルト取付部材２０に形成された切り欠き溝２０ａの終端部、つまりボルト取付部材２０の中心に連結ボルト１７の棒状部１７ｂを挿通するようになっていたが、切り欠き溝２０ａに配線及び連結ボルトを挿通できるようになっていれば、終端部に電源コード２２を挿通し、その側方に連結ボルト１７を挿通してもよい。
【００５７】
また、前記実施例では、切り欠き溝２０ａに配線としての電源コード２２を挿通する例が記載されていたが、配線は、電源コードに限らず、信号ケーブルや電話線等であってもよく、また、複数本の配線を挿通可能としてもよい。
【００５８】
また、前記実施例では、ネジ孔１５ｃが支持管１５の上部に設けられていたが、支持管１５の上下方向の中央位置や下部位置に設けられていてもよい。
【００５９】
また、前記実施例では、ブラケット１４の突起１４ｐと支持管１５の凹部１５ａとにより、支持管１５の軸心周りの回動を規制する回動規制手段が構成されていたが、例えば接続部１４ｋを平面視方形状に形成し、支持管１５内周面形状を接続部１４ｋと補形を成すように形成することで、これら接続部１４ｋ及び支持管１５の下端内周面とにより回動規制手段を構成してもよい。
【００６０】
また、前記実施例では、パソコン支持台１２を、共有空間構造体１の中間部フレーム１５に取り付けた例を記載したが、被取付部は任意に変更可能であり、例えば共有空間構造体１のホワイトボード部８等の別箇所に取り付けてもよいし、あるいは共有空間構造体１ではなく、机や室内の壁部等に取り付けてもよい。
【図面の簡単な説明】
【００６１】
【図１】本発明の適用された共有空間構造体の全体像を示す斜視図である。
【図２】図１の共有空間構造体に設けられたパソコン支持台を示す側面図である。
【図３】（ａ）はボルト取付部材を示す平面図であり、（ｂ）は図２のＡ−Ａ断面図である。
【図４】図３のＢ−Ｂ断面図である。
【符号の説明】
【００６２】
１                共有空間構造体
５                中間部フレーム（被取付部）
１２              パソコン支持台（電子機器支持装置）
１４              ブラケット
１４ａ            後片
１４ｃ            下片（下辺部）   
１４ｄ            前片
１４ｇ            貫通孔
１４ｈ            小径部
１４ｉ            大径部
１４ｊ            段部
１４ｋ            接続部
１４ｎ            配線溝
１４ｐ            突起（回動規制手段）
１５              支持管
１５ａ            凹部（回動規制手段）
１５ｂ            配線挿通口
１５ｃ            ネジ孔
１６              天板（支持部）
１７              連結ボルト
２０              ボルト取付部材
２０ａ            切り欠き溝
２２              電源コード（配線）
Ｐ                ノートパソコン（電子機器）
【図１】
2009118609.tif 000003
【図２】
2009118609.tif 000004
【図３】
2009118609.tif 000005
【図４】
2009118609.tif 000006